(57)【要約】      （修正有）【課題】ラップフィルムの巻き戻りを無くす。【解決手段】ラップフィルム容器１の蓋体内側４に厚紙でＶ字形の形状９a、及びＴ字形の形状を長手方向に設け接着させ、ラップフィルム巻き戻り防止材９とし、容器の蓋体を閉めるとラップフィルム巻き戻り防止材が容器内でラップフィルム７を下方に押し下げラップフィルムが鋭角の角度に張られる、従来通りにラップフィルムを切断し、次回ラップフィルムを使用する際、容器の蓋体を開けるとラップフィルム巻き戻り防止材が押し下げていたラップフィルムに弛みが生じ、弛みがラップフィルムの巻き戻ろうとする力を無くし巻き戻りを防止できる。【選択図】図１
2012201416.tif 000002
【特許請求の範囲】
【請求項１】
厚紙製の食品包装用ラップフィルム容器の蓋体内側の長手方向に厚紙でＶ字形の形状になるよう折り曲げ接着させた、巻き戻り防止材を設けたことを特徴とする、食品包装用ラップフィルム巻き戻り防止容器。
【請求項２】
厚紙製の食品包装用ラップフィルム容器の蓋体内側の長手方向に厚紙でＴ字形の形状になるよう折り曲げ接着させた、巻き戻り防止材を設けたことを特徴とする、食品包装用ラップフィルム巻き戻り防止容器。
【請求項３】
厚紙製の食品包装用ラップフィルム容器の蓋体先端部より厚紙を延長し、蓋体内側に厚紙を折り返し、蓋体内側の長手方向に厚紙をＶ字形の形状になるよう折り曲げ接着させた、巻き戻り防止材を設けたことを特徴とする、食品包装用ラップフィルム巻き戻り防止容器。
【請求項４】
厚紙製の食品包装用ラップフィルム容器の蓋体先端部より厚紙を延長し、蓋体内側に厚紙を折り返し、蓋体内側の長手方向に厚紙をＴ字形の形状になるよう折り曲げ接着させた、巻き戻り防止材を設けたことを特徴とする、食品包装用ラップフィルム巻き戻り防止容器。
【発明の詳細な説明】
【発明の詳細な説明】
【技術分野】
【０００１】  本発明は、食品包装用ラップフィルムの巻き戻りを防止する、食品包装用ラップフィルム容器に関する。
【背景技術】
【０００２】  従来の厚紙製の食品包装用ラップフィルム容器では、ラップフィルム容器からロール状に巻かれたラップフィルムを必要とする長さ分を引き出し、容器の蓋体を押さえラップフィルム容器の鋸刃で切断するが、次回ラップフィルムを使用する際、容器内のラップフィルムがロール状のラップフィルムに巻き戻りすることがある。
【発明の概要】
【発明が解決しようとする課題】
【０００３】  従来の厚紙製の食品包装用ラップフィルム容器では、ラップフィルムを使用する際、図８ロール状のラップフィルム７からラップフィルム８が厚紙製容器前面２上部まで直線的に張られた状態で引き出され、必要とする長さで切断される、次回ラップフィルムを使用する際、容器の蓋体３を開けるとラップフィルムが巻き戻りすることがあり、容器内のロール状のラップフィルムに密着し、ラップフィルムの先端を探し剥がすことが困難となる、本発明は、このラップフィルムの巻き戻りを無くすことを課題とする。
【課題を解決するための手段】
【０００４】  従来の厚紙製の食品包装用ラップフィルム容器の蓋体内側に厚紙でＶ字形の形状、及びＴ字形の形状を長手方向に設け接着させ、ラップフィルム巻き戻り防止材とする。【０００５】  ラップフィルムを使用する際、ラップフィルム容器からラップフィルムを必要とする長さ分を引き出し、容器の蓋体を閉めると蓋体内側に設けたラップフィルム巻き戻り防止材が、容器内で直線的に張られた状態のラップフィルムを下方に押し下げると同時に蓋体内側と厚紙製容器前面上部でラップフィルムを挟むことでラップフィルムが鋭角の角度に張られる、従来通りにラップフィルムを切断し、次回ラップフィルムを使用する際、容器の蓋体を開けるとラップフィルム巻き戻り防止材が押し下げていたラップフィルムに弛みが生じ、弛みがラップフィルムの巻き戻ろうとする力を無くし巻き戻りを防止できる。
【発明の効果】
【０００６】  本発明は、食品包装用ラップフィルム容器の蓋体内側にラップフィルムを下方に押し下げるＶ字形の形状、及びＴ字形の形状をしたラップフィルム巻き戻り防止材を設けたことにより、使用する際、ラップフィムの巻き戻りが無くなり容易にラップフィルムを引き出すことができ、使い勝手がよい。
【発明を実施するための最良の形態】
【０００７】  図７厚紙製の食品包装用ラップフィルム容器に、図１蓋体内側４の長手方向にラップフィルム巻き戻り防止材９を、厚紙で図３Ｖ字形９の形状になるよう折り曲げ蓋体内側４に接着させる。【０００８】  図７厚紙製の食品包装用ラップフィルム容器に、図２蓋体内側４の長手方向にラップフィルム巻き戻り防止材１０を、厚紙で図４Ｔ字形１０の形状になるよう折り曲げ蓋体内側４に接着させる。【０００９】  図７厚紙製の食品包装用ラップフィルム容器の蓋体先端部５から厚紙を延長し、蓋体内側４に厚紙を折り返し、折り曲げ図５Ｖ字形９ａ、及び図６Ｔ字形１０ａのラップフィルム巻き戻し防止材を、図１、図２蓋体内側４の長手方向に設け接着させ、食品包装用ラップフィルム巻き戻り防止容器として製造することが可能である。
【産業上の利用可能性】
【００１０】  本発明は、食品包装用ラップフィルム巻き戻り防止容器は、工業的に製造、量産が可能であるため、産業上の利用可能性を有する。
【図面の簡単な説明】
【００１１】
【図１】食品包装用ラップフィルム容器の蓋体内側４の長手方向に厚紙でＶ字形９、９ａの形状にラップフィルム巻き戻り防止材を設けた、食品包装用ラップフィルム巻き戻り防止容器の斜視図である。
【図２】食品包装用ラップフィルム容器の蓋体内側４の長手方向に厚紙でＴ字形１０，１０ａの形状にラップフィルム巻き戻り防止材を設けた、食品包装用ラップフィルム巻き戻り防止容器の斜視図である。
【図３】食品包装用ラップフィルム容器の蓋体内側４に厚紙でＶ字形９の形状にラップフィルム巻き戻り防止材を設けた、食品包装用ラップフィルム巻き戻り防止容器の縦断面図である。
【図４】食品包装用ラップフィルム容器の蓋体内側４に厚紙でＴ字形１０の形状にラップフィルム巻き戻り防止材を設けた、食品包装用ラップフィルム巻き戻り防止容器の縦断面図である。
【図５】食品包装用ラップフィルム容器の蓋体先端部５より厚紙を延長し、蓋体内側４に厚紙を折り返しＶ字形９ａの形状にラップフィルム巻き戻り防止材を設けた、食品包装用ラップフィルム巻き戻り防止容器の縦断面図である。
【図６】食品包装用ラップフィルム容器の蓋体先端部５より厚紙を延長し、蓋体内側４に厚紙を折り返しＴ字形１０ａの形状にラップフィルム巻き戻り防止材を設けた、食品包装用ラップフィルム巻き戻り防止容器の縦断面図である。
【図７】従来の厚紙製の食品包装用ラップフィルム容器の斜視図である。
【図８】従来の厚紙製の食品包装用ラップフィルム容器の縦断面図である。
【符号の説明】
【００１２】１      厚紙製容器
２      厚紙製容器前面
３      蓋体
４      蓋体内側
５      蓋体先端部
６      鋸刃
７      ロール状のラップフィルム
８      ラップフィルム
９      厚紙をＶ字形の形状に折り曲げ接着させた、ラップフィルム巻き戻り防止材
９ａ    蓋体先端部より厚紙を延長し蓋体内側に折り返しＶ字形の形状に折り曲げ接着さ        せた、ラップフィルム巻き戻り防止材
１０    厚紙をＴ字形の形状に折り曲げ接着させた、ラップフィルム巻き戻り防止材
１０ａ  蓋体先端部より厚紙を延長し蓋体内側に折り返しＴ字形の形状に折り曲げ接着さ        せた、ラップフィルム巻き戻り防止材
【図１】
2012201416.tif 000003
【図２】
2012201416.tif 000004
【図３】
2012201416.tif 000005
【図４】
2012201416.tif 000006
【図５】
2012201416.tif 000007
【図６】
2012201416.tif 000008
【図７】
2012201416.tif 000009
【図８】
2012201416.tif 000010